(57)【要約】【解決手段】本手法は、概して接続部分および嵌合部分付きの小型レセプタクル端子に関する。嵌合部分は、弾力性のある接触梁を有する接触バネを含む二重一次接触梁構成部品および二次梁を有する。各接触梁は、接触突起を含むことができる、レセプタクル端子の対向する壁に対向する接点を有する。分散され、平衡が保たれた接触力が、一次接触梁と接触突起との間に挿入される雄端子ピンにかけられる。接触バネの過大応力保護が提供され、端子は生産するのが経済的である。【選択図】図６
2013508935.tif 000002
【特許請求の範囲】
【請求項１】
レセプタクル端子であって、
本体部分であって、長手方向挿入軸を有し、前記レセプタクル端子の端部に沿った接続部分と、前記接続部分から離れるように伸びる嵌合部分とを有し、前記嵌合部分が相補的な端子と嵌合するように構成されている本体部分と、
前記本体部分上の第１の場所から片持ちにされる少なくとも１つの接触梁であって、該接触梁の少なくとも一部が前記長手方向挿入軸から前記レセプタクル端子の中に第１の角度で伸び、前記接触梁の自由端部が第１の凹部と末端縁とを有する少なくとも１つの接触梁と、
前記本体部分上の第２の場所から前記レセプタクル端子の中に片持ちにされる硬化梁であって、前記第１の場所および前記第２の場所が、前記長手方向挿入軸から前記レセプタクル端子の中に第２の角度で前記第１の場所と前記第２の場所との間の選択された距離だけ分離され、前記接触梁が前記硬化梁と前記長手方向挿入軸との間に配置され、前記第２の角度が前記第１の角度よりも大きい、硬化梁と、
コネクタの中に伸びるフラップであって、前記接触梁の末端縁よりもハウジングの中へさらに下方に伸びるフラップと、
を備えるレセプタクル端子。
【請求項２】
少なくとも２つの前記接触梁を有する、請求項１に記載のレセプタクル端子。
【請求項３】
前記本体部分の壁から前記レセプタクル端子の中に突出する少なくとも１つの突起部をさらに備え、前記突起部が前記接触梁と対向する、請求項１または２に記載のレセプタクル端子。
【請求項４】
前記第１の角度が約５度と３０度との間である、請求項１〜３のいずれか１項に記載のレセプタクル端子。
【請求項５】
前記第２の角度が約１度と２５度との間である、請求項１〜４のいずれか１項に記載のレセプタクル端子。
【請求項６】
前記接触梁の前記自由端部が、前記端子の挿入前に前記硬化梁の自由端部に接する、請求項１〜５のいずれか１項に記載のレセプタクル端子。
【請求項７】
前記接触梁の前記自由端部および前記硬化梁の自由端部が、前記端子の挿入前に離間される、請求項１〜３のいずれか１項に記載のレセプタクル端子。
【請求項８】
前記フラップが、前記端子の挿入前に前記接触梁から離間される、請求項１〜７のいずれか１項に記載のレセプタクル端子。
【請求項９】
前記フラップが前記端子の挿入前に前記接触梁に接する、請求項１〜７のいずれか１項に記載のレセプタクル端子。
【請求項１０】
それぞれ前記本体部分に位置する接触梁と硬化梁との間の前記選択された距離が、約０．５ｍｍと５ｍｍとの間である、請求項１〜９のいずれか１項に記載のレセプタクル端子。
【請求項１１】
梁支持部材が前記本体部分の壁から突出し、前記接触梁および前記硬化梁の部分の下方に配置される、請求項１〜１０のいずれか１項に記載のレセプタクル端子。
【請求項１２】
フラップ支持部材が前記本体部分の壁から突出し、前記フラップの部分の下方に配置される、請求項１〜１０のいずれか１項に記載のレセプタクル端子。
【請求項１３】
前記本体部分が、該本体部分が圧縮されるときに本体部分の壁の部分を係合するためのタブを有する、請求項１〜１２のいずれか１項に記載のレセプタクル端子。
【請求項１４】
前記本体部分が、誘電性のハウジングを係合するための第１のロック面および第２のロック面を有する、請求項１〜１３のいずれか１項に記載のレセプタクル端子。
【請求項１５】
レセプタクル端子であって、
本体部分であって、長手方向挿入軸を有し、前記レセプタクル端子の端部に沿った接続部分と、前記接続部分から離れるように伸びる嵌合部分とを有し、前記嵌合部分が相補的な端子と嵌合するように構成されている本体部分と、
該本体部分上の第１の位置から片持ちされる２つの接触梁であって、該２つの接触梁が相互に対して隣り合っており、前記接触梁のそれぞれの少なくとも一部が前記長手方向挿入軸から前記レセプタクル端子に第１の角度で伸び、前記接触梁の自由端部が第１の凹部および末端縁とを有する２つの接触梁と、
前記本体部分上の第２の場所から前記レセプタクル端子の中に片持ちにされる硬化梁であって、前記第１の場所および前記第２の場所が、前記長手方向挿入軸から前記レセプタクル端子の中に第２の角度で前記第１の場所と前記第２の場所との間で選択された距離だけ、分離され、前記接触梁が前記硬化梁と前記長手方向挿入軸との間に配置され、前記第２の角度が前記第１の角度よりも大きい、硬化梁と、
前記本体部分の壁から前記コネクタの中に突出する少なくとも１つの突起部であって、前記接触梁と対向する突起部と、
前記コネクタの中に伸びるフラップであって、前記フラップが前記接触梁の前記末端縁よりも前記ハウジングの中へさらに下方に伸びるフラップと、を備え
前記接触梁の自由端部および前記硬化梁の自由端部が、前記端子の挿入の前に離間される、
レセプタクル端子。
【請求項１６】
前記第１の角度が約５度と３０度との間であり、前記第２の角度が約１度と２５度との間である、請求項１５に記載のレセプタクル端子。
【請求項１７】
前記フラップが、前記端子の挿入前に前記接触梁から離間される、請求項１５または１６に記載のレセプタクル端子。
【請求項１８】
前記フラップが、前記端子の挿入前に前記接触梁に接触する、請求項１５または１６に記載のレセプタクル端子。
【請求項１９】
レセプタクル端子コネクタであって、
誘電性のコネクタハウジングと、
該誘電性のハウジングによって支えられる小型レセプタクルコネクタと、
該小型レセプタクルコネクタの本体部分であって、長手方向挿入軸を有し、前記端子コネクタの端部に沿った接続部分と、該接続部分から離れるように伸びる嵌合部分とを有し、該嵌合部分が相補的な端子と嵌合するように構成される本体部分と、
該本体部分上の第１の場所から片持ちされる少なくとも１つの接触梁であって、該接触梁の少なくとも一部は、前記長手方向挿入軸から第１の角度で前記レセプタクル端子の中に伸び、前記接触梁の自由端部が第１の凹部と、末端縁とを有する少なくとも１つの接触梁と、
前記本体部分上の第２の場所から前記レセプタクル端子の中へ片持ちされる硬化梁であって、前記第１の場所および前記第２の場所が、前記長手方向挿入軸から前記コネクタの中へ第２の角度で前記第１の場所および前記第２の場所との間で選択された距離だけ分離され、前記接触梁が前記硬化梁と前記長手方向挿入軸との間に配置され、第２の角度が第１の角度よりも大きい、硬化梁と、
前記コネクタの中に伸びるフラップであって、前記接触梁の前記末端縁よりも前記ハウジングの中にさらに下方に伸びる前記フラップと、
を備えるレセプタクル端子コネクタ。
【請求項２０】
前記本体部分の壁から前記レセプタクル端子の中に突出する少なくとも１つの突起部をさらに備え、該突起部が前記接触梁と対向する、請求項１９に記載のレセプタクル端子コネクタ。
【請求項２１】
前記本体部分は、前記誘電性のハウジングを係合するための第１のロック面および第２のロック面を有する、請求項１９または２０に記載のレセプタクル端子コネクタ。
【請求項２２】
前記第１のロック面と係合される一次ロック部材と、該一次ロック部材の移動を制限する第２のロック部材とをさらに含む、請求項２１に記載のレセプタクル端子コネクタ。
【請求項２３】
前記第２のロック部材が、前記第２のロック面と係合すると、前記誘電性のコネクタハウジング内での前記小型レセプタクルコネクタの移動を制限する、請求項２２に記載のレセプタクル端子コネクタ。
【請求項２４】
前記小型レセプタクルコネクタの前記本体部分から伸びる極性化面をさらに含む、請求項１９に記載のレセプタクル端子コネクタ。
【請求項２５】
前記誘電性のコネクタハウジング内部での前記小型レセプタクルコネクタの挿入中に、前記小型レセプタクルコネクタ上の停止面が前記誘電性のコネクタハウジング上のブロック面と係合する、請求項１９に記載のレセプタクル端子コネクタ。
【請求項２６】
前記小型レセプタクルコネクタの前記本体部分から伸びる極性化面をさらに備え、前記誘電性のコネクタハウジング内部の前記小型レセプタクルコネクタの挿入中に、前記極性化面の前記前部端部上の停止面が、前記誘電性のコネクタハウジング上のブロック面と係合する、請求項１９に記載のレセプタクル端子コネクタ。
【請求項２７】
前記小型レセプタクルコネクタ上の前記停止面が、前記嵌合部分の前記前部端縁の部分である、請求項２５に記載のレセプタクル端子コネクタ。
【発明の詳細な説明】
【技術分野】
【０００１】
本発明は、概してレセプタクル端子に関し、より詳細には改善された小型レセプタクル端子に関する。これらのレセプタクル端子は、ピン接触係合または保持力を強化する構造となっている。
【背景技術】
【０００２】
自動車市場は、小型化された設置面積が小さいタイプのレセプタクル端子に移行している。接触バネが比例的により小型化するので、端子がより小型化するほどレセプタクル端子の接触係合または保持力も弱くなることは一般に知られている。例えば、接触力を二倍にしようとして、２つの接触バネをともに利用して、組み合わせされたスプリング厚さを二倍にすることによって等、より小さな接触バネをともに積み重ねることによってより小さい接触バネの接触係合または保持力を増加する試みが行われてきた。しかしながら、複数のスプリングに起因する公差の変動は、しばしば接触力の受け入れがたいほど大きな変動を生じさせ、製造の管理は複雑化する。ディンプルまたはビードを利用して接触バネの厚さを強化しようとする試みもなされてきたが、この手法も限られた成功しか得られていない。
【発明の概要】
【発明が解決しようとする課題】
【０００３】
本手法によって達成される目的を達成するまたは解決策を教示することを求めることによって得ることができるだろうプラス面を認識していない先行技術の手法としては、弾力性のある接触部分および別個の可動支持部材を備えた本体部分から成る低挿入力電気接点雌端子に関する米国特許第４，９７３，２７１号が挙げられる。可動支持部材は、嵌合の間の挿入力を最小限に抑えるために弾力性のある接触部分の下に配置されている。嵌合後、可動本体支持部材は、力を最大限にし、強力な接続を維持するために第２の位置に移動される。米国特許第５，２２６，８４２号は、ワイヤに接続するためにワイヤ接続部分に雄端子がそれを通して挿入される開口部付きの端子本体を有する雄端子に接続するための雌端子に関する。別個の可撓性リーフバネ要素が、端子本体に対して雄端子を押し付けるために端子本体上に取り付けられる。停止手段が、雄端子の挿入の前に予荷重状態で可撓性要素の中心部分を抑制するために端子本体内に提供される。米国特許第６，２４４，９１０号は片持ちにされた接触バネ付きのスタンプ加工されたブランク材から形成されるボックスレセプタクル端子に関する。接触バネは、ブレードまたはピン端子等の雄接点と嵌合されるときにレセプタクル基部に対して外向きに逸らされる。
【０００４】
他の先行技術は以下を含む。米国特許第６，３０５，９９２号は、電気導線への接続のための導体コネクタ領域および補足的なピン接点と接続するための接触領域を有する電気接点に関する。接触領域は、基本的にボックスの形で設計される。接触領域は、予応力を与えることができる、前方に伸ばされた接触バネアームを有する。支持する第２のバネアームは、接触バネアームに支持を提供するために接触バネアームの上方に配置される。米国特許第７，０５９，９２１号は、接触領域の後部天井から前方に伸びる接触歯またはブレードを含む一体成形レセプタクル端子に関する。歯は最初に捻れるため、歯は接触歯を保護する上で側壁が役立つように側壁に平行に通る。端子は、ハウジング内に端子をロックするためにロックタブおよびロック面を有する。また、接触歯は、接触歯の末端を保護するガイドシールドも有する。米国特許第７，２１７，１６１号は、主要部材またはフレーム、および別個のバネ部材を含む雌端子に関する。主要部材の接触部分は、バネ接触部材の側面を受け入れるためのシェルフを有する側面穴付きの一般的なボックス形状を有する。接触部分は、バネ接触部材のための過大応力保護機構を形成する下向き突起も有する。
【０００５】
さらに先行技術は以下を含む。米国特許第７，２２３，１３４号は、導体に接続する後部ゾーンとの一体成形接点に関する。接点の前部には、雄端子と嵌合する少なくとも２つの弾性接触ブレードを有する接触端子付きの保護ケージがある。米国特許第７，２４１，１９０号は、導線に接続するための部分、および雄端子と嵌合するための部分を含むボックス形の管状雌端子に関する。接触バネは接触部分内に置かれ、接触バネは、接触バネの先端へ接近することを禁じることによって損傷から保護されている。嵌合部分の挿入部分は、嵌合部分の残りの部分よりも小さい直径を有している。接触バネの先端は、保護のための挿入部分のより小さい直径壁の上方に配置される。米国特許第７、３５１，１２２号は、バネ保護部材付きの接触梁を含むレセプタクル端子に関する。接触部分は、互いに対して直角に伸び、したがってＬ字形の断面を形成する、対向する第１の接点および第２の接点を有する金属板で形成される。接触バネは両方とも、レセプタクル端子と嵌合端子との間の接触圧力を保証するために嵌合端子に圧力をかける。日本特許公開公報第２０００−２３１９５６号は、ワイヤ接続端部および接点端部を有する雌端子電気コネクタに関する。この接点は単一の金属板から形成され、コネクタをハウジングの中に挿入するための配向機構を有する。
【課題を解決するための手段】
【０００６】
本手法を用いて、これらの参照等の先行技術の多様な特性は、欠点および望ましくない属性、結果、または効果を有することが判断されてきた。本手法は、これまで利用できなかった拡張機能を提供するために、これらの問題を認識し、対処している。総体的に、本手法は、いわゆる小型カテゴリに該当し、増加した接触力を提供する、より完全に強化された小型接触バネを提供する。
【０００７】
さらに具体的には、本手法に従って到達した目標は、良好な製造管理を維持し、公差の変動を最小限に抑える一方で、接触バネの接触係合または保持力を増加することを含む。他の目標は、接触バネをその操作環境における損傷から保護することと、雄接点ピンの挿入の間に接触バネおよび接点ピンを保護することと、接触バネに過大応力保護を提供することと、材料効率を改善することと、取り付けのためにレセプタクル端子を極性化することとを含む。
【０００８】
本手法の一実施の形態は、一般に、小型レセプタクルの嵌合部分に関する。本実施の形態の嵌合部分は、２つの一次接触梁、および一次接触梁を増大させる単一の二次梁を有する。嵌合されていない位置で二次梁が一次接触梁に接触するように、二次梁は、一次接触梁のうちの少なくとも１つにおいてよりも、レセプタクル壁からわずかにより多く角度を付けられている。各接触梁は、レセプタクル端子の対向する壁上で接触突起部に対向する接点を有する。分散され、平衡が保たれた接触力が、一次接触梁と接触突起部との間に挿入される雄端子ピンにかけられる。二重接触梁成分は、良好な製造管理を可能にし、本実施の形態に従って作られる個々の小型レセプタクル端子の間での接触力の変動を最小限に抑える。
【０００９】
小型レセプタクル端子の実施の形態の別の態様では、二重接触梁バネ接点は嵌合部分の後部から固定され、材料効率を改善する。低い製造コストで、高い端子性能が得られる。
【００１０】
小型レセプタクル端子の実施の形態の追加の態様では、二重接触梁バネ接点は操作環境によって引き起される可能性がある損傷からバネ接点を保護するボックス形状の嵌合部分の中で固定される。
【００１１】
小型レセプタクル端子のさらなる実施の形態または態様では、嵌合部分は、配向部材、端子前部止め具、ならびにコネクタハウジング内で小型端子の取り付けに役立つ一次ロックアップ面および二次ロックアップ面を有する。小型レセプタクル端子は、レセプタクル端子の側面と、またはレセプタクル端子の端部または前部と相互作用できる端子位置保証（「ＴＰＡ」）部材によってさらに固定できる。配向部材は、一次接触梁を過大応力から保護する凹みを有することができる。また、小型レセプタクル端子は、嵌合に役立つため、および嵌合ピンを挿入中の損傷から保護するためにガイドシールドを有することができる。
【００１２】
小型レセプタクル端子の実施の形態の追加の態様では、支持バンプが、一次接触梁および二次梁に支持を提供する。
【００１３】
小型レセプタクル端子の別の実施の形態または態様は、１つまたは複数の一次接触梁（複数可）と接触し、嵌合されていない位置で一次接触梁に付勢力を提供する予荷重部材を有する。
【００１４】
小型レセプタクル端子の別の実施の形態または態様では、間隙が、嵌合されていない位置にある一次接触梁および二次梁に最も近い近接点の間に位置する。
【図面の簡単な説明】
【００１５】
【図１】本手法による小型端子レセプタクルの斜視図である。
【図２】図１に示される小型端子レセプタクルの側面図である。
【図３】図１に示される小型端子レセプタクルの反対の側面図である。
【図４】図１に示される小型端子レセプタクルの前面立面図である。
【図５】図１に示される小型端子レセプタクルの後面立面図である。
【図６】嵌合されていない位置で図１に示される小型端子レセプタクルの部分的に切り取った側面図である。
【図６Ａ】小型端子レセプタクルの別の実施の形態の部分的に切り取った側面図である。
【図６Ｂ】図６に示されるレセプタクルの変形を示す小型端子レセプタクルの前面立面図である。
【図６Ｃ】図６に示される小型端子レセプタクルの変形を示す別の実施の形態の前面立面図である。
【図７】ピンがその中に挿入された状態で示される、嵌合させられた位置にある図１に示される小型端子レセプタクルの部分的に切り取られた側面図である。
【図８】嵌合されていない位置で示される、予負荷が与えられた特徴を有する小型端子レセプタクルの別の実施の形態の部分的に切り取られた立面図である。
【図９】ピンがその中に挿入された状態で示される、嵌合させられた位置にある図８に示される小型端子レセプタクルの部分的に切り取られた側面図である。
【図１０】小型端子レセプタクルのさらなる実施の形態の部分的に切り取られた斜視図である。
【図１１】小型端子レセプタクルの別の実施の形態の部分的に切り取られた斜視図である。
【図１２】コネクタハウジングの中に差し込まれた図１の小型端子レセプタクルの部分的に切り取られた斜視図である。
【図１３】コネクタハウジングの中に差し込まれた小型端子レセプタクルの別の実施の形態の部分的に切り取られた側面図である。
【図１４】コネクタハウジングの中に差し込まれた小型端子レセプタクルの別の実施の形態の部分的に切り取られた側面図である。
【発明を実施するための形態】
【００１６】
必要に応じて、本発明の詳細な実施の形態が本明細書に開示される。しかしながら、開示された実施の形態は、多様な形式で具体化されてもよい、単なる本発明の例示にすぎないことが理解されるべきである。したがって、本明細書に開示される特定の詳細は、本明細書には明示的に開示されないことがある本明細書に開示される多様な特徴を組み合わせて利用することを含む、実質的にあらゆる適切な方法で本発明を多様に利用するために、制限的として解釈されるべきではなく、単に特許請求の範囲の基礎として、および当業者に教示するための代表的な基礎として解釈されるべきである。
【００１７】
図１〜７に示される本手法の実施の形態では、概して２０として示される小型レセプタクル端子は、ワイヤ導体（不図示）等の導体への接続のための接続部分３０と、相補的な雄端子（図７）と嵌合するための、対向するボックス形状の嵌合部分４０とを有する。接続部分３０は、絶縁ワイヤの導体等の導体に、クリンピング等によって、しっかりと係合するための側壁３２を有する。接続部分は、例えば、絶縁ワイヤの絶縁体の回りに巻き付けることができる個々のアーム３４を有することができる。
【００１８】
端子２０は、例えば約１７ｍｍと約２３ｍｍの間、適切には約１８ｍｍと約２０ｍｍの間にすることができる小型レセプタクル端子に適切な長さ（Ｌ１）を有する。嵌合部分４０は、概して４２として示される本体部分を有する。本体部分４２は、例えば約６ｍｍと約１２ｍｍの間、適切には約７ｍｍと約１０ｍｍの間とすることができる長さ（Ｌ２）を有する。また、本体部分４２は、例えば約３ｍｍと約５ｍｍの間、典型的には約３．５ｍｍと約４．５ｍｍの間とすることができる幅（Ｗ１）も有する。本体部分４２は、さらに、例えば約１ｍｍと約５ｍｍの間、通常は約２ｍｍと約４ｍｍの間とすることができる高さ（Ｈ１）を有する。
【００１９】
図６に示される実施の形態では、嵌合されていない小型レセプタクル端子２０は、典型的には、本体部分４２内で平行して配置される２つの一次接触梁５０である、少なくとも１つの一次接触梁５０を有する。実際に、一次梁を２つ（または２つ以上の）より狭い梁に分割することによって、有利な機械的な利点、および全体的な梁構造の角度関係を維持しながら、適切な場合、挿入力を削減することができる。一次接触梁（複数可）５０は、支持プラットホーム４４上の第１の場所から片持ちにされる。一次接触梁（複数可）５０は、角度「ｂ１」で長手方向挿入軸３８から伸びる。二次梁６０は、一次接触梁（複数可）５０の上方に配置される。二次梁６０は、金属ブランク材を折り曲げ、一次梁がそこから伸びる第１の場所４５、および二次梁がそこから伸びる第２の場所４７を提供することによって形成することができる支持プラットホーム４４上の第２の場所から片持ちにされる。二次梁６０は、角度「ａ１」で長手方向の挿入軸３８から伸びる。
【００２０】
本実施の形態では、角度「ａ１」は、角度「ｂ１」よりも大きく、二次梁６０の一部は、嵌合されていない位置で一次接触梁５０と接触する。典型的な例では、角度「ａ１」は約５度と３０度との間である。一方、角度「ｂ１」は約１度と２５度との間である。示されているように、それぞれの梁５０および６０のそれぞれの端部は互いから離間され、これらの端部は選択された距離６２だけ、支持プラットホーム４４に接続する。一方、それらのそれぞれの自由な端部は互いに係合する。選択された距離６２が、第１の場所４５と第２の場所４７との間隔に対応し、梁５０および６０のためのそれぞれの片持ち梁場所の間の空間または間隙を画定することが留意される。
【００２１】
図７に示されるように、接触梁５０は、レセプタクル端子の中で嵌合されるときに雄ピン６５と係合する接触面５２をさらに有する。各接触梁５０は、挿入中に雄ピン６５を誘導するのを補助するため、ならびにピンおよび接触梁５０を損傷から保護するために上向きに伸びる先端部分５４を有する。過大応力保護を提供することが所望される場合、上向きに伸びる先端部分５４は、雄ピン６５が挿入されたときに上部壁５１の内面に係合し、それによって接触梁５０および上部梁６０が上方向に過剰に伸びることを防ぐ。内面と先端部分との間のこの係合は、先端部分５４の端縁の動きを停止することによって良好な接触力を提供するのにも役立てることができる。一方、一次接触梁上でそれに隣接する曲線は、挿入されたピン６５に対してたわみおよび付勢を提供することができる。
【００２２】
図６および７に示される予荷重を与えられていない実施の形態では、本体部分は、挿入中に雄ピン６５を誘導するのをさらに補助するため、ならびにピンおよび接触梁５０を損傷から保護するために保護フラップ５６も有する。この示されている実施の形態では、保護フラップ５６は、先端部分５４およびフラップ５６が通常の動作で互いと係合しないように、嵌合されていない位置（図６）で上向きに伸びる先端５４と保護フラップ５６との間に間隙５５を提供するように寸法設定され、かつ形状設定される。
【００２３】
示されている実施の形態では、本体部分４２は、雄ピン６５を誘導するのを補助するため、および嵌合ピンを上方に付勢するために、１つまたは複数の隆起したまたは内向きに伸びる突起部４６Ａを備える、底壁と見なされる壁４８をさらに含む。雄ピン６５が嵌合部分４０の中に挿入されるにつれて、雄ピン６５は、１つまたは複数の突起部４６によって、接触面５２に向かって移動される。各突起部の高さは、例えば、図６Ｂおよび６Ｃに示されるように、所望される通りに変えられる可能性がある。突起部の高さを変えることによって、例えば雄ピン６５の厚さが変わる一方で、接触梁５０にかかる力を特定の範囲内に保つことができるようになる。より低い高さの各突起部４６Ｂは、例えば、より厚い雄ピン６５が使用されるときに（図６Ｂ）使用できる可能性がある。より高い高さの突起部４６Ｃは、例えばより薄い雄ピン６５が使用されるときに（図６Ｃ）使用できる可能性がある。代わりに、底壁４８は、図６Ａに示されるようにいかなる内向きに伸びる突起部も備えていない場合がある。
【００２４】
図７で留意されるように、雄ピン６５がさらに嵌合部分４０の中に挿入されるとき、雄ピン６５は、上向きと見なされる方向に移動するように付勢される接触面５２に係合する。完全に嵌合された位置では、二次梁６０が、角度「ａ２」で支持プラットホーム４４から伸び、各一次接触梁５０は角度「ｂ２」で支持プラットホームから離れるように伸び、角度「ａ２」は角度「ｂ２」よりも大きい。典型的な例では、角度「ａ２」は約１度と２０度との間である。一方、角度「ｂ２」は、約０度と１５度との間である。本明細書で一般的に説明される一次接触梁５０と二次梁６０との特徴のため、一次接触梁５０の上向きの移動は、接触係合またはピンにかかる保持力が、この規模の接触係合または保持力を提供するためにはより多くの容積を必要とする、より大きな従来のレセプタクル端子のピン接触係合または保持力に類似したレベルまで増加するように抵抗される。
【００２５】
示されている実施の形態では、底壁４８は、例えば図１２に示されるタイプのコネクタハウジング８０に小型レセプタクル端子２０を固定するために使用できる一次ロックアップ面７２を有する。上部壁５１は、図１３および１４に示されるようにコネクタハウジングまたはパネルにレセプタクル端子２０を適切に取り付けるために極性化突起７０を有する。極性化突起７０は、上部壁５１の一部のみから上向きに伸びる。コネクタハウジングは、極性化突起７０を１つの特定の配向のみでコネクタハウジングの中に単に挿入することができ、それによって小型レセプタクル端子２０を間違って挿入することができないことを保証するような大きさおよび形状で作られてもよい。上部壁５１は、小型レセプタクル端子２０をコネクタハウジングにさらに固定するために使用することができる１つまたは複数の二次ロックアップ面７４も有する。
【００２６】
端子前部止め具７３は、図１３に示されるように極性化突起７０上に位置する。かかる極性化突起は、コネクタハウジング内でレセプタクル端子の適切な配向を容易にする。一方前部止め具は、レセプタクル端子の挿入を制御するために役立つ。端子前部止め具１７３は、図１４に示されるように上部壁５１に位置する可能性がある。端子前部止め具７３、１７３のどちらかが、レセプタクル端子２０がコネクタハウジング８０の中に完全に差し込まれるにつれてコネクタハウジング８０の表面に係合し、それによってレセプタクル端子２０がさらにコネクタハウジング８０の中に差し込まれるのを妨ぐ。
【００２７】
図１３は、端子位置保証部材付きのレセプタクル端子２０の実施の形態を示す。レセプタクル端子２０がコネクタハウジング８０の中に完全に挿入され、一次ロック部材８２が一次ロックアップ表面７２と係合した後、概して９２として示される端子位置保証部材は、コネクタハウジング８０の中に挿入することができる。示されている実施の形態では、この端子位置保証部材９２は、前部又は端部端子位置保証部材と見なすことができる。示されている部材９２は、端子位置保証部材９２のアセンブリへの固定を可能にする突出部分９６および支持部分９８を含む。一方、突出部分９６は、一次ロック部材８２に隣接する開放空間９７内部にある。このようにして、端子位置保証部材９２は、一次ロック部材８２の外向きの移動を制限する。かかる移動は、一次ロック部材８２を分離するために必要とされる動きより小さい。より具体的には、前部端子位置保証部材９２は、一次ロック部材８２が一次ロックアップ面７２と分離するのを防ぐ。したがって、この前部端子位置決め部材は、ブロック面９９を有するブロック部材と見なすことができる。
【００２８】
代わりに、図１４に示されるように、レセプタクル端子２０の実施の形態は、ブロック面１９９を有する側面端子位置保証部材と見なすことができる、概して９４で示される端子位置保証部材である二次ロック部材を有する。この部材９４は、概して二次ロックアップ面７４に隣接するコネクタハウジング８０の中への開口部１９８の中に挿入される。レセプタクル端子２０がコネクタハウジング８０の中に完全に挿入され、一次ロック部材８２が一次ロックアップ面７２と係合した後、端子位置保証部材９４は開口部１９８を通して挿入される。挿入は、端子位置保証部材９４のブロック面１９９が二次ロックアップ面７４に係合するために適所となるまで続行する。通常、かかる係合は、挿入方向の反対方向でレセプタクル端子２０に力がかけられる場合に発生し、それによってレセプタクル端子２０がコネクタハウジング８０の中で実質的に移動するのを防ぐ。
【００２９】
本体部分４２は側壁４９を有する。梁支持７６（図１、図３、図６、図６Ａ、および図７〜１１）は、各一次接触梁５０および二次梁６０に支持を提供するためにハウジング側壁４９から突出する。示されている実施の形態では、フラップ支持７８（図１、図３、図４、図６、図６Ａ、および図７〜１１）もハウジング側壁４９から突出し、保護フラップ５６に支持を提供する。タブ５８（図２）は、上部壁５１の一部から下方に伸長し、例えばハウジングの中へのレセプタクル端子の挿入中の端子ノーズ部をぶつけることなどのような過剰な力から上部壁５１変形を妨げる。タブ５８の底部端縁５９は、上部壁５１が下向きに付勢されるのにつれて、ハウジング側壁４９と係合する。
【００３０】
図８に示されている実施の形態では、嵌合されていない小型レセプタクル端子１２０は、典型的には、本体４２内で平行して配置される２つの一次接触梁１５０である、少なくとも１つの一次接触梁１５０を有する。一次接触梁（複数可）１５０は、支持プラットホーム４４上での第１の場所から片持ちにされている。一次梁（複数可）１５０は、角度「ｄ１」で長手方向挿入軸３８から伸びる。二次梁１６０は、一次接触梁（複数可）１５０の上方に配置される。二次梁１６０は、支持プラットホーム４４上の第２の場所から片持ちにされている。二次梁１６０は、角度「ｃ１」で長手方向挿入軸３８から伸びる。本実施の形態では、角度「ｃ１」は、角度「ｄ１」よりも大きく、二次梁１６０の一部は、嵌合されていない位置で一次接触梁１５０と接触する。典型的な例では、角度「ｃ１」は、約５度と３０度との間である。一方、角度「ｄ１」は約１度と２５度との間である。示されているように、それぞれの梁１５０と１６０のそれぞれの端部が互いから離間され、これらの端部は、第１の場所と第２の場所４５と４７の間で選択された距離６２だけ、支持プラットホーム４４に接続する。一方、そのそれぞれの自由端部の長さは互いに係合する。
【００３１】
図８に示されるように、上向きに伸びる先端部１５４が雄ピン１６５の挿入前に予荷重を与えられた状態で上向きに付勢されるように、上向きに伸びる先端部分１５４は保護フラップ５６と係合される（図９）。一次接触梁（複数可）１５０のかかる予荷重は、フラップ１５６が梁先端部分１５４と係合するときにフラップ１５６が受ける梁（複数可）１５０の挿入負荷力の力成分に起因する、雄ピン１６５と嵌合するために必要とされる挿入力を削減する場合がある。
【００３２】
図９に示されるように、接触梁１５０は、嵌合時に雄ピン１６５と係合する接触面１５２をさらに有する。接触梁１５０の先端部分１５４は、挿入中に雄ピン１６５を誘導するのを補助するため、ならびにピンおよび接触梁１５０を損傷から保護するために上向きに伸びる先端端部を有する。過大応力保護を提供するために、上向きに伸びる先端部分１５４は、雄ピン１６５が挿入されるときに上部壁５１の内面と係合し、それによって接触梁１５０および上部梁１６０が上向き方向に過剰に伸びるのを防ぐことができる。また、この係合は、先端部分１５４と壁５１との間の係合によって生じる挿入されたピン１６５に対するたわみおよび付勢を提供することによって、接続完全性を改善することもできる。また、ハウジング４２は、挿入中に雄ピン１６５を誘導するのをさらに補助するため、ならびにピンおよび接触梁１５０を損傷から保護するために保護フラップ１５６も有する。
【００３３】
図１０に示されている実施の形態では、嵌合されていない小型レセプタクル端子２２０は、典型的には、本体４２内で平行に配置される２つの一次接触梁２５０である、少なくとも１つの一次接触梁２５０を有する。一次接触梁（複数可）２５０は、支持プラットホーム４４上の第１の場所から片持ちにされる。一次接触梁（複数可）２５０は、角度「ｆ１」で長手方向挿入軸３８から伸びる。二次梁２６０は、一次接触梁（複数可）２５０の上方に配置される。二次梁２６０は、支持プラットホーム４４上の第２の場所から片持ちにされる。二次梁２６０は、角度「ｅ１」で長手方向挿入軸３８から伸びる。本実施の形態では、角度「ｅ１」および角度「ｆ１」は、嵌合されていない位置で二次梁２６０と一次接触梁２５０との間に梁間隙２７５があるような大きさに作られている。図１０に示されている実施の形態では、この間隙２７５は、選択された距離６２で開始し、二次梁２６０の全長だけ伸びる。典型的な例では、角度「ｅ１」は約１度と３０度との間であり、角度「ｆ１」は約１度と３０度との間である。
【００３４】
図１１に示されている実施の形態では、嵌合されていない小型レセプタクル端子３２０は、典型的には、本体４２内で平行して配置される２つの一次接触梁３５０である、少なくとも１つの一次接触梁３５０を有する。一次接触梁（複数可）３５０は、支持プラットホーム４４上で第１の場所から片持ちにされる。一次梁３５０（複数可）は、角度「ｈ１」で長手方向挿入軸３８から伸びる。二次梁３６０は、一次接触梁３５０（複数可）の上方に配置される。二次梁３６０は、支持プラットホーム４４上の第２の場所から片持ちにされる。二次梁３６０は、角度「ｇ１」で、長手方向挿入軸３８から伸びる。本実施の形態では、角度「ｇ１」および角度「ｈ１」は、嵌合されていない位置で二次梁３６０と、１つまたは複数の一次接触梁３５０との間に梁間隙３７５があるように寸法設定される。上向きに伸びる先端部分３５４は、上向きに伸びる先端部分３５４が雄ピン（不図示）の挿入前に予荷重を与えられた状態で上向きに付勢されるように保護フラップ３５６と係合される。一次接触梁（複数可）３５０のかかる予荷重は、フラップ３５６が梁先端部分３５４と係合するときにフラップ３５６によって受けられる梁（複数可）３５０の挿入負荷力の力成分に起因する、雄ピン（不図示）と嵌合するために必要とされる挿入力を削減する場合がある。典型的な例では、角度「ｇ１」は約１度と３０度との間であり、角度「ｈ１」は約１度と３０度との間である。
【００３５】
図１２に示されるように、嵌合されていない小型レセプタクル端子２０がコネクタハウジング８０の中に挿入される。一次ロック部材８２は、小型レセプタクル端子２０を適所に保持するために一次ロックアップ面７２と係合する。小型レセプタクル端子２０とコネクタハウジング８０との間の他の相互作用も示されている。小型レセプタクル端子は導電性である一方、コネクタハウジング８０は絶縁である、つまり誘電材料から作られていることが理解されるだろう。
【００３６】
かかる特徴または代わりに他のタイプの小型レセプタクル端子の追加の組み合わせを明示的に含む、本明細書で個々に開示又は特許請求されている本明細書に開示される特徴の組み合わせを含む、小型レセプタクル端子および／またはその構成部品の多くの変形および変型等の、当業者には容易に明らかとなるであろう、上述された、図示された実施の形態の多数の変型があることが理解されるであろう。また、材料および構成の多くの考えられる変型もある。これらの変型および／または組み合わせは、本手法が関係する技術の範囲内にあり、以下の特許請求の範囲の範囲内に入ることが意図される。
【図１】
2013508935.tif 000003
【図２】
2013508935.tif 000004
【図３】
2013508935.tif 000005
【図４】
2013508935.tif 000006
【図５】
2013508935.tif 000007
【図６】
2013508935.tif 000008
【図６Ａ】
2013508935.tif 000009
【図６Ｂ】
2013508935.tif 000010
【図６Ｃ】
2013508935.tif 000011
【図７】
2013508935.tif 000012
【図８】
2013508935.tif 000013
【図９】
2013508935.tif 000014
【図１０】
2013508935.tif 000015
【図１１】
2013508935.tif 000016
【図１２】
2013508935.tif 000017
【図１３】
2013508935.tif 000018
【図１４】
2013508935.tif 000019
【国際調査報告】
2013508935.tif 000020
2013508935.tif 000021